(57)【要約】【課題】通信機能を備えた車載用ナビゲーション装置に適用することができて、リンク切れが発生したショートカットをユーザ自身が削除する手間を省くことができる「通信装置及びそのリンク情報編集方法」を提供する。【解決手段】制御部は、ショートカットのリンク情報に基づいてサーバにアクセスし、リンク情報に対応するページがあるときはコンテンツデータをダウンロードして表示部に表示し、リンク情報に対応するページがないと判定したときにはショートカット記憶部から該当するショートカットを削除する。【選択図】図７
2005228019.tif 000002
【特許請求の範囲】
【請求項１】
サーバと通信接続する通信部と、
前記サーバから取得した情報が表示される表示部と、
ユーザの操作に応じた信号を出力する操作部と、
前記サーバの所定のページへのリンク情報を含むショートカットを記憶するショートカット記憶部と、
前記操作部から出力される信号に応じて前記表示部、前記通信部及び前記ショートカット記憶部を制御する制御部とを有し、
前記制御部は前記ショートカットのリンク情報に基づいて前記サーバにアクセスし、前記リンク情報に対応するページが前記サーバにないと判定したときに、前記ショートカット記憶部から該当するショートカットを削除することを特徴とする通信装置。
【請求項２】
前記制御部は、前記ショートカット記憶部から前記ショートカットを削除した後、新規ショートカットの登録処理を開始することを特徴とする請求項１に記載の通信装置。
【請求項３】
登録されたショートカットのリンク情報に基づいてサーバにアクセスし、前記リンク情報に対応するページの情報を取得する通信装置のリンク情報編集方法において、
前記リンク情報に対応するページが前記サーバにないときに、前記ショートカットを自動的に削除することを特徴とする通信装置のリンク情報編集方法。
【発明の詳細な説明】
【技術分野】
【０００１】
本発明は、特に通信機を介してサーバと接続し情報を取得する機能を備えた車載用ナビゲーション装置に適用可能な通信装置及びそのリンク情報編集方法に関する。
【背景技術】
【０００２】
近年、車載用ナビゲーション装置は高機能化の要求に伴い、携帯電話等の通信機を介して車両外部のサーバ（情報センタ）と接続し、ニュースや交通情報等の情報（コンテンツ）を取得したり、電子メールを使用することができるようになった。
【０００３】
このようなシステムでは、一般的に、サーバから送られてくる情報はＨＴＭＬ（HyperText Markup Language ）又はＸＭＬ（eXtensible Markup Language）等のマークアップ言語により記述されており、ブラウザと呼ばれるソフトウエアを使用して閲覧するようになっている。また、情報は、階層構造のメニューから所望の情報に応じた項目を選択していくことにより取得するようになっている。１ページ分の情報は、ＵＲＬ（Uniform Resource Locator）により示される場所に格納されている。また、マークアップ言語では、ページ内の文字列又は画像等にＵＲＬの情報を埋め込むことにより、他のページとリンクさせることができる。
【０００４】
例えば、ブラウザを起動すると、車載用ナビゲーション装置の表示部には図１に示すようなメニュー画面（第１階層のメニュー）が表示される。ここで、ユーザが操作部に設けられたジョグダイヤルを操作して「トップページ」を選択し、その後操作部に設けられた「決定」ボタンを押すと、ナビゲーション装置は通信機を介してサーバに接続し、「トップページ」に埋め込まれたＵＲＬをサーバに送信する。そして、ナビゲーション装置はサーバからＵＲＬに対応するトップページのデータを取得し、そのデータに基づいて図２に示すようなトップメニュー画面（第２階層のメニュー）を作成して表示部に表示する。
【０００５】
この図２に示す画面でユーザが例えば「ニュース」を選択して「決定」ボタンを押すと、ナビゲーション装置からサーバに「ニュース」に埋め込まれたＵＲＬが送られる。そして、サーバからＵＲＬに対応するページのデータが送られてきて、図３に示すようなメニュー画面（第３階層のメニュー）が表示される。この画面でユーザが例えば「今日のスポーツ」を選択して「決定」ボタンを押すと、「今日のスポーツ」に埋め込まれたＵＲＬがサーバに送られ、サーバーから対応するページのデータが送られてきて、ナビゲーション装置の表示部に今日のスポーツニュースが表示される。
【０００６】
ところで、通信機能を内蔵したナビゲーション装置では、通常、ページのショートカット（リンク先を示す文字列又はアイコン）を登録することができる。例えば、ユーザが図３に示す画面で「今日のスポーツ」を選択して操作部に設けられた「メニュー」ボタンを押すと「ショートカットを登録しますか？（はい）／（いいえ）」というメッセージが表示され、（はい）を選択すると「今日のスポーツ」のショートカットが作成される。ショートカットは例えばそのページのタイトル（文字列）とＵＲＬ（リンク情報）とにより構成される。このようにして作成されたショートカットは、例えばカスタマイズメニューに登録され、図１に示す画面で「カスタマイズメニュー」を選択して「決定」ボタンを押すと画面に表示される。図４に、ショートカットのメニュー画面（カスタマイズメニュー）の例を示す。
【０００７】
この図４に示す画面でユーザが例えば「今日のスポーツ」のショートカットを選択して「決定」ボタンを押すと、ナビゲーション装置は通信機を介してサーバに接続し、ショートカットに埋め込まれたＵＲＬを送信する。これにより、サーバから「今日のスポーツ」のページのデータが送られてきて、画面にスポーツニュースが表示される。このように、ショートカットを使用することにより、少ない操作で所望のページを素早く表示させることができる。
【０００８】
なお、特開２０００−２８５１３３号公報には、ナビゲーション装置から所望施設のジャンル（例えばラーメン店）と車両の現在位置をサーバに送信すると、車両の現在位置の周囲にある所望施設のホームページのＵＲＬをサーバからナビゲーション装置に送信するシステムが提案されている。
【特許文献１】特開２００−２８５１３３号公報
【発明の開示】
【発明が解決しようとする課題】
【０００９】
しかしながら、情報センタではコンテンツを更新するときにメニュー構成が変更になることがある。そうすると、ナビゲーション装置がショートカットのＵＲＬに対応するページのデータを取得しようとしても、サーバにはＵＲＬに対応するページがなく、リンク切れといわれるエラーになることがある。
【００１０】
例えば、「今日のスポーツ」に替えて新たに「今日のＪリーグ」及び「今日のプロ野球」というページが作成され、それに伴って「今日のスポーツ」に対応するＵＲＬが廃止されたとする。この場合、「今日のスポーツ」のショートカットを選択して「決定」ボタンを押しても、サーバにはＵＲＬに対応するページのデータがないので、ナビゲーション装置の表示部には例えば「ページを開くことができません」等のエラーメッセージが表示される。このようなエラーメッセージが表示されたときには、ユーザは例えばメインメニューに戻ってからカスタマイズメニューの画面を表示し、ＵＲＬが変更されたショートカットを選択して削除する必要があり、操作が煩雑である。
【００１１】
以上から本発明の目的は、通信機能を備えた車載用ナビゲーション装置に適用することができて、リンク切れが発生したショートカットをユーザ自身が削除する手間を省くことができる通信装置及びそのリンク情報編集方法を提供することである。
【課題を解決するための手段】
【００１２】
上記した課題は、サーバと通信接続する通信部と、前記サーバから取得した情報が表示される表示部と、ユーザの操作に応じた信号を出力する操作部と、前記サーバの所定のページへのリンク情報を含むショートカットを記憶するショートカット記憶部と、前記操作部から出力される信号に応じて前記表示部、前記通信部及び前記ショートカット記憶部を制御する制御部とを有し、前記制御部は前記ショートカットのリンク情報に基づいて前記サーバにアクセスし、前記リンク情報に対応するページが前記サーバにないと判定したときに、前記ショートカット記憶部から該当するショートカットを削除することを特徴とする通信装置により解決する。
【００１３】
上記した課題は、登録されたショートカットのリンク情報に基づいてサーバにアクセスし、前記リンク情報に対応するページの情報を取得する通信装置のリンク情報編集方法において、前記リンク情報に対応するページが前記サーバにないときに、前記ショートカットを自動的に削除することを特徴とする通信装置のリンク情報編集方法により解決する。
【００１４】
本発明においては、ショートカットのリンク情報に基づいてサーバにアクセスし、ショートカットに対応するページがサーバにないと判定したときに、制御部はショートカット記憶部から該当するショートカットを自動的に削除する。これにより、リンク切れが発生したショートカットをユーザ自身が手動で削除する手間が省け、使い勝手が向上する。
【００１５】
リンク切れが発生したショートカットを削除した後に、新規ショートカットの登録処理を自動的に開始するようにしてもよい。
【発明を実施するための最良の形態】
【００１６】
以下、本発明の実施形態について、添付の図面を参照して説明する。
【００１７】
（第１の実施の形態）
図５は本発明の通信装置を車載用ナビゲーション装置に適用した第１の実施形態の構成を示すブロック図、図６は同じくその操作部及び表示部を示す模式図である。
【００１８】
ナビゲーション装置本体１０は、マイクロコンピュータにより構成される制御部１５と、地図データを記憶したハードディスクドライブ（ＨＤＤ）１６と、メモリ１７と、後述するショートカットを記憶するショートカット記憶部１８と、その他の周辺回路とにより構成されており、メモリ１７内に書き込まれた専用ソフトウエアに従って動作する。このナビゲーション装置本体１０には、表示部１１、操作部１２、通信部１３及び車両位置検出部１５が接続される。
【００１９】
操作部１２には、図６に示すように、「決定」ボタン２０、ジョイスティック２１、ジョグダイヤル２２、「メニュー」ボタン２３、「戻る」ボタン２４、「現在地」ボタン２５及び「目的地」ボタン２６等が設けられている。
【００２０】
「決定」ボタン２０は、ジョイスティック２１を押下するとオン状態になり、それ以外のときはオフ状態となる。ジョイスティック２１はその基端部を中心として任意の方向に倒すことが可能であり、ジョイスティック２１を倒した方向に応じた信号がナビゲーション装置本体１０に出力される。ジョグダイヤル２２はジョイスティック２１の周囲を回転可能であり、回転角に応じた信号がナビゲーション装置本体１０に出力される。
【００２１】
「メニュー」ボタン２３を押すと、そのときの動作状況に応じたメニュー画面が表示部１１に表示される。また、「戻る」ボタン２４を押すと、１つ前の操作画面に戻ることができる。「現在地」ボタン２５は表示部１１に車両の現在位置の周囲の地図を表示するときに使用するボタンであり、「目的地」ボタン２６は目的地を設定するときに使用するボタンである。
【００２２】
通信部１３としては、例えば携帯電話を使用することができる。ナビゲーション装置本体１０は、通信部１３を介して所定のサーバ（情報センタ）と接続し、後述するようにドライブ情報やニュース等の情報（コンテンツ）を取得する。
【００２３】
車両位置検出部１４は、ＧＰＳ（Global Positioning System ）受信機、ジャイロ及び走行距離センサにより構成されており、ＧＰＳ衛星から送られてくるＧＰＳ信号や、ジャイロ及び走行距離センサからの信号に基づいて車両の現在位置を検出し、ナビゲーション装置本体１０に出力する。
【００２４】
表示部１１は液晶パネル等により構成されている。ナビゲーション装置本体１０は表示部１１に、車両の現在位置の周囲の地図を表示したり、車両の移動に伴って適宜案内情報を表示したり、通信部１３を介してサーバから送られてきた情報（コンテンツ）を表示する。
【００２５】
以下、本実施形態の車載用ナビゲーション装置が情報センタに接続してコンテンツを取得するときの動作について、図７に示すフローチャートを参照して説明する。但し、ここでは予めメーカー又はユーザにより所望のページのショートカットがショートカット記憶部１８に登録されているものとする。また、図８に、サーバにおけるメニュー構成（サイトマップ）の例を示す。
【００２６】
まず、ステップＳ１１で通常動作時の画面が表示されているとき、例えば表示部１１に車両の現在位置の周囲の地図が表示されているときにユーザが操作部３の「メニュー」ボタン２３を押すと、ステップＳ１２に移行する。ステップＳ１２において、ナビゲーション装置本体１０の制御部１５は表示部１１に図９に示すようなメニュー画面（第１階層のメニュー画面）を表示する。
【００２７】
この図９に示す画面が表示されているときに、ユーザがジョグダイヤル２２を操作して「カスタマイズメニュー」を選択し、「決定」ボタン２０を押すと、ステップＳ１３に移行する。ステップＳ１３において、制御部１５は図１０に示すようなカスタマイズメニュー（第２階層のメニュー画面）を表示部１１に表示する。このカスタマイズメニューには、ショートカット記憶部１８に記憶されているショートカットが表示される。この図１０に示す例では画面上に４個までのショートカットしか表示できないが、登録されているショートカットの数が多い場合はジョグダイヤル２２を回転させると画面がスクロールして、次のショートカットが表示される。
【００２８】
次に、ステップＳ１４に移行し、ユーザがジョグダイヤル２２を操作してカスタマイズメニューから所望のショートカットを選択して「決定」ボタン２０を押すと、ステップＳ１５に移行する。ステップＳ１５では、ナビゲーション装置本体１０の制御部１５により通信部１３が制御され、サーバとの間で通信が確立する。その後、制御部１５はショートカットに埋め込まれたＵＲＬ（リンク情報）を通信部１３を介してサーバに送信する。ここでは、ユーザが「今日のスポーツ」を選択して「決定」ボタン２０を押したものとする。
【００２９】
次に、ステップＳ１６に移行して、制御部１５はサーバから応答があるか否か、即ちＵＲＬに対応するページがあるか否かを判定する。所定の時間内にサーバからＵＲＬに対応するページのデータが送られてきた場合（ＹＥＳの場合）はステップＳ１９に移行する。そして、制御部１５は、サーバからダウンロードされたデータ（コンテンツデータ）に基づいて表示画面を作成し、表示部１１に表示する。
【００３０】
一方、ステップＳ１６において、所定の時間内にサーバからの応答がない場合（ＮＯの場合）、制御部１５は、ＵＲＬに対応するページがないと判定してステップＳ１７に移行する。この例では、図８のサイトマップに示すように、メニュー構成が変更されて「今日のスポーツ」に対応するＵＲＬが削除され、替わりに新たに「今日のプロ野球」及び「今日のＪリーグ」のページとそれらのページに対応するＵＲＬとが追加されているものとする。この場合、ナビゲーション装置本体１０の制御部１５は、例えば図１１に示すように、「表示するページがありません」というようなメッセージを表示部１１に一定時間（例えば５秒程度）表示する。
【００３１】
その後、ステップＳ１８に移行して、制御部１５は、ショートカット記憶部１８に登録されていた当該ショートカット（「今日のスポーツ」のショートカット）を削除する。これにより、カスタマイズメニューからも「今日のスポーツ」のショートカットが削除される。「今日のスポーツ」のショートカットが削除された後のカスタマイズメニューの例を図１２に示す。この図１２に示すように、「今日のスポーツ」のショートカットが削除されると、それに伴って残りのショートカットの表示位置が調整される。
【００３２】
上述したように、本実施形態においては、リンク切れのショートカットを検出するとカスタマイズメニューから当該ショートカットを自動的に削除するので、リンク切れが発生したショートカットをユーザ自身が手動で削除する必要がなく、使い勝手が向上する。
【００３３】
なお、自動的に削除したショートカットを、復帰可能なように特定のファイルに移動して保存しておいてもよい。この場合、ユーザの指示に応じてショートカットを完全に削除したり、カスタマイズメニューに復帰させることができるようにしておく。
【００３４】
（第２の実施形態）
以下、本発明の通信装置を車載用ナビゲーション装置に適用した第２の実施形態について説明する。なお、本実施形態の車載用ナビゲーション装置の基本的な構成は第１の実施形態と同様であるので、本実施形態においても図５，図６を参照して説明する。
【００３５】
本実施形態では、制御部１５は、リンク切れが発生したショートカットを検出すると、第１の実施形態と同様に当該ショートカットをショートカット記憶部１８から削除した後、図１３に示すように、「コンテンツの内容が変更されました」というメッセージを表示部１１に一定時間（例えば５秒間程度）表示する。その後、図１４に示すように「新しいショートカットを登録しますか？（はい）／（いいえ）」というメッセージを表示部１１に表示する。この図１４に示す画面が表示されているときに、ユーザがジョグダイヤル２２を操作して（はい）を選択し「決定」ボタン２０を押すと、ショートカットの登録処理を開始する。
【００３６】
すなわち、ナビゲーション装置本体１０の制御部１５は、まず、通信部１３を制御してサーバに接続してトップページのデータを取得し、そのデータに基づいて図１５に示すようにトップメニュー画面を表示する。ここで、ユーザがジョブダイヤル２２を操作して所望の項目を選択し「決定」ボタン２０を押すと、制御部１５は次の階層のメニュー画面を表示部１１に表示する。
【００３７】
このようにして所望のページを表示部１１の画面に表示した後、「メニュー」ボタン２３を押すと、制御部１５は、図１６に示すように「新しいショートカットを登録しますか？（はい）／（いいえ）」というメッセージを表示する。ここで、ユーザがジョグダイヤル２２を操作して（はい）を選択した後に「決定」ボタン２０を押すと、制御部１５は現在選択されているページのショートカットを作成して、ショートカット記憶部１８に登録する。これにより、カスタマイズメニューに新しいショートカットが表示される。新しく「今日のプロ野球」のショートカットが表示されたカスタマイズメニューの例を図１７に示す。
【００３８】
なお、図１４に示す画面又は図１６に示す画面で（いいえ）を選択して「決定」ボタン２０を押したときは、リンク切れが発生したショートカットを削除して処理を終了する。
【００３９】
本実施形態においては、リンク切れが発生した場合にそのショートカットをショートカット記憶部１８から自動的に削除した後、ショートカットの登録処理を自動的に開始するので、第１の実施形態と同様の効果を得ることができるとともに、削除されたページに替わる新しいページのショートカットの登録を短時間で行うことができる。
【図面の簡単な説明】
【００４０】
【図１】図１は、従来のナビゲーション装置の第１階層のメニュー画面の例を示す模式図である。
【図２】図２は、従来のナビゲーション装置の第２階層のメニュー画面の例を示す模式図である。
【図３】図３は、従来のナビゲーション装置の第３階層のメニュー画面の例を示す模式図である。
【図４】図４は、従来のナビゲーション装置のショートカットのメニュー画面（カスタマイズメニュー）の例を示す模式図である。
【図５】図５は、本発明の通信装置を車載用ナビゲーション装置に適用した第１の実施形態の構成を示すブロック図である。
【図６】図６は、同じくその操作部及び表示部を示す模式図である。
【図７】図７は、第１の実施形態の車載用ナビゲーション装置が情報センタに接続してコンテンツを取得するときの動作を示すフローチャートである。
【図８】図８は、サーバにおけるメニュー構成（サイトマップ）の例を示す図である。
【図９】図９は、第１の実施形態の車載用ナビゲーション装置の第１階層のメニュー画面の例を示す模式図である。
【図１０】図１０は、第１の実施形態の車載用ナビゲーション装置のカスタマイズメニューの例を示す模式図である。
【図１１】図１１は、第１の実施形態の車載用ナビゲーション装置のリンク切れを検出したときの画面表示例を示す模式図である。
【図１２】図１２は、第１の実施形態の車載用ナビゲーション装置のリンク切れが発生したショートカットを削除した後のカスタマイズメニューの例を示す模式図である。
【図１３】図１３は、本発明の第２の実施形態の車載用ナビゲーション装置のリンク切れを検出したときの画面表示例を示す模式図（その１）である。
【図１４】図１４は、第２の実施形態の車載用ナビゲーション装置のリンク切れを検出したときの画面表示例を示す模式図（その２）である。
【図１５】図１５は、第２の実施形態の車載用ナビゲーション装置のリンク切れを検出したときの画面表示例を示す模式図（その３）である。
【図１６】図１６は、第２の実施形態の車載用ナビゲーション装置のリンク切れを検出したときの画面表示例を示す模式図（その４）である。
【図１７】図１７は、第２の実施形態の車載用ナビゲーション装置のリンク切れが発生したショートカットを削除し、新規のショートカットを登録した後のカスタマイズメニューの例を示す模式図である。
【符号の説明】
【００４１】
１０…ナビゲーション装置本体、
１１…表示部、
１２…操作部、
１３…通信部、
１４…車両位置検出部、
１５…制御部、
１６…ハードディスクドライブ（ＨＤＤ）、
１７…メモリ、
１８…ショートカット記憶部、
２０…「決定」ボタン、
２１…ジョイスティック、
２２…ジョグダイヤル、
２３…「メニュー」ボタン、
２４…「戻る」ボタン、
２５…「現在地」ボタン、
２６…「目的地」ボタン。
【図１】
2005228019.tif 000003
【図２】
2005228019.tif 000004
【図３】
2005228019.tif 000005
【図４】
2005228019.tif 000006
【図５】
2005228019.tif 000007
【図６】
2005228019.tif 000008
【図７】
2005228019.tif 000009
【図８】
2005228019.tif 000010
【図９】
2005228019.tif 000011
【図１０】
2005228019.tif 000012
【図１１】
2005228019.tif 000013
【図１２】
2005228019.tif 000014
【図１３】
2005228019.tif 000015
【図１４】
2005228019.tif 000016
【図１５】
2005228019.tif 000017
【図１６】
2005228019.tif 000018
【図１７】
2005228019.tif 000019